(57)【要約】【課題】電線カバーがハウジングから外れるのを確実に防止する。【解決手段】電線カバー２０に作用する外力のために、弾性係止片２６が、側壁２１とともに係止部１３から解離する方向へ変位すると、側壁２１に形成されているガイド突起２８Ｒは、その規制突起２９の突出方向と同じ方向へ変位しようとするのであるが、このガイド突起２８Ｒの変位に伴って規制突起２９とガイド部１４との係止代が大きくなる。したがって、たとえ弾性係止片２６が係止部１３から外れたとしても、規制突起２９とガイド部１４との係止によって、電線カバー２０のハウジング１０からの外れが確実に防止される。【選択図】図１
2008300174.tif 000002
【特許請求の範囲】
【請求項１】
背面から電線が導出されたハウジングと、
前記ハウジングに対しその背面を覆うようにかつ前記背面と略直角に組み付けられることで、前記導出された電線を前記背面と略平行に転向させる電線カバーと、
前記電線カバーの側壁に形成され、前記ハウジングに対する前記電線カバーの組付け方向と略直角な方向への弾性撓みを可能とされた弾性係止片と、
前記ハウジングに形成され、前記電線カバーが前記ハウジングに組み付けられた状態では、前記弾性係止片を係止させることで、前記電線カバーの前記ハウジングからの外れを規制する係止部と、
前記電線カバーの前記側壁に形成され、前記ハウジングに対する前記電線カバーの組付け方向と同じ方向に突出するガイド突起と、
前記ハウジングに形成され、前記ガイド突起を、前記弾性係止片が前記係止部から解離する方向と概ね同じ方向へ当接させることで、前記電線カバーを前記ハウジングに対して位置決めするガイド部とを備え、
前記ガイド突起には、前記弾性係止片が前記係止部から解離する方向と概ね同じ方向へ突出する形態であって、前記ガイド部に係止することで前記電線カバーの前記ハウジングから外れる方向への変位を規制可能な規制突起が形成されていることを特徴とするコネクタ。
【請求項２】
前記電線カバーには、前記側壁と直角な面を開放した形態であって、前記電線カバー内で転向させた前記電線を前記電線カバー外へ導出させるための導出口が形成されており、
前記側壁には、複数の前記ガイド突起が前記ハウジングの背面に沿うように間隔を空けて配置されており、
前記複数のガイド突起のうち、前記導出口の最も近くに位置する前記ガイド突起のみに前記規制突起が形成されていることを特徴とする請求項１に記載のコネクタ。
【請求項３】
前記係止部と前記ガイド部は、前記ハウジングの背面と直角な軸に関して点対称な形態とされていることを特徴とする請求項１または請求項２に記載のコネクタ。
【発明の詳細な説明】
【技術分野】
【０００１】
本発明は、コネクタに関するものである。
【背景技術】
【０００２】
特許文献１には、ハウジングに対しその背面を覆うように電線カバーを組み付け、この電線カバーの内部において、ハウジングの背面から導出した電線をハウジングの背面と略平行となる向きに転向させるようにしたコネクタが開示されている。このコネクタでは、電線カバーはハウジングの背面に対して直角に組み付けられるのであるが、電線カバーに形成したガイド突起をハウジングのガイド部に嵌合させることにより、電線カバーをハウジングに対して正規の位置に位置決めしつつ安定して組付けることができるようにしている。また、電線カバーに形成した弾性係止片をハウジングの係止部に係止させることにより、電線カバーがハウジングから離脱することを規制するようになっている。
【特許文献１】実用新案登録第２６００７９６号公報
【発明の開示】
【発明が解決しようとする課題】
【０００３】
上記のコネクタでは、電線カバーから引き出された電線に引張り等の外力が加わったときに、その電線から電線カバーに対して、ハウジングから外れる方向の押圧力が作用する場合がある。この場合、その弾性係止片が、押圧力に負けて係止部から外れるように弾性変形し、その結果、電線カバーがハウジングから外れてしまうおそれがある。  
なお、ガイド突起は、ハウジングに対する電線カバーの組付け方向に突出する形態なので、ガイド突起とガイド部との嵌合構造に対しては、電線カバーがハウジングから外れることを防止する機能を期待することはできない。  
本発明は上記のような事情に基づいて完成されたものであって、電線カバーがハウジングから外れるのを確実に防止することを目的とする。
【課題を解決するための手段】
【０００４】
上記の目的を達成するための手段として、請求項１の発明は、背面から電線が導出されたハウジングと、前記ハウジングに対しその背面を覆うようにかつ前記背面と略直角に組み付けられることで、前記導出された電線を前記背面と略平行に転向させる電線カバーと、前記電線カバーの側壁に形成され、前記ハウジングに対する前記電線カバーの組付け方向と略直角な方向への弾性撓みを可能とされた弾性係止片と、前記ハウジングに形成され、前記電線カバーが前記ハウジングに組み付けられた状態では、前記弾性係止片を係止させることで、前記電線カバーの前記ハウジングからの外れを規制する係止部と、前記電線カバーの前記側壁に形成され、前記ハウジングに対する前記電線カバーの組付け方向と同じ方向に突出するガイド突起と、前記ハウジングに形成され、前記ガイド突起を、前記弾性係止片が前記係止部から解離する方向と概ね同じ方向へ当接させることで、前記電線カバーを前記ハウジングに対して位置決めするガイド部とを備え、前記ガイド突起には、前記弾性係止片が前記係止部から解離する方向と概ね同じ方向へ突出する形態であって、前記ガイド部に係止することで前記電線カバーの前記ハウジングから外れる方向への変位を規制可能な規制突起が形成されているところに特徴を有する。
【０００５】
請求項２の発明は、請求項１に記載のものにおいて、前記電線カバーには、前記側壁と直角な面を開放した形態であって、前記電線カバー内で転向させた前記電線を前記電線カバー外へ導出させるための導出口が形成されており、前記側壁には、複数の前記ガイド突起が前記ハウジングの背面に沿うように間隔を空けて配置されており、前記複数のガイド突起のうち、前記導出口の最も近くに位置する前記ガイド突起のみに前記規制突起が形成されているところに特徴を有する。
【０００６】
請求項３の発明は、請求項１または請求項２に記載のものにおいて、前記係止部と前記ガイド部は、前記ハウジングの背面と直角な軸に関して点対称な形態とされているところに特徴を有する。
【発明の効果】
【０００７】
＜請求項１の発明＞
電線カバーに作用する外力のために、弾性係止片が、側壁とともに係止部から解離する方向へ変位すると、側壁に形成されているガイド突起は、その規制突起の突出方向と同じ方向へ変位しようとするのであるが、このガイド突起の変位に伴って規制突起とガイド部との係止代が大きくなる。したがって、たとえ弾性係止片が係止部から外れたとしても、規制突起とガイド部との係止によって、電線カバーのハウジングからの外れが確実に防止される。
【０００８】
＜請求項２の発明＞
電線から電線カバーに対してハウジングから外れる方向の押圧力が作用するときには、電線が導出口の開口縁に当接するため、電線カバーは導出口側からめくれ上がろうとすることになる。しかし、規制突起は、導出口の最も近くに位置するガイド突起に形成されているので、電線カバーの外れを確実に防止することができる。  
また、電線カバーをハウジングに組み付けるときには、規制突起がガイド部を通過する際に、側壁やガイド突起を弾性変形させるため、この側壁やガイド突起の弾性復元力が組付け時の抵抗となるのであるが、本発明では、規制突起は、導出口に最も近いガイド突起のみに形成しており、他のガイド突起には規制突起を形成していないので、電線カバーの組付けに抗する抵抗が最小に押さえられており、組付けの作業性がよい。
【０００９】
＜請求項３の発明＞
係止部とガイド部が、ハウジングの背面と直角な軸に関して点対称な形態なので、ハウジングに対して電線カバーを１８０°反転した２つの向きに組み付けることが可能である。これにより、電線を互いに反対の２方向へ転向させることができる。
【発明を実施するための最良の形態】
【００１０】
＜実施形態１＞
以下、本発明を具体化した実施形態１を図１乃至図６を参照して説明する。本実施形態のコネクタは、ハウジング１０と電線カバー２０とを備えて構成されている。  
ハウジング１０は、合成樹脂製であり、全体として前後方向に長いブロック状をなしている。ハウジング１０内にはその背面１２（図１〜図３における上面）側から複数の端子金具（図示せず）が挿入されており、各端子金具に接続した電線１１が、ハウジング１０の背面１２から略直角に導出されている。なお、図４においては、ハウジング１０内における端子金具の収容空間の図示を省略している。
【００１１】
ハウジング１０の左右両外側面には、その背面１２側の端縁（図１及び図２における上端縁）に沿うようにかつ前後に間隔を空けて配置された前後一対ずつの突起状の係止部１３が形成されている。前側（図１及び図２における左側）の係止部１３は、ハウジング１０の前端よりも中央寄りに位置し、後側の係止部１３は、ハウジング１０の後端よりも中央寄りに位置している。各係止部１３の突出方向は、ハウジング１０に対する電線カバー２０の組付け方向（即ち、ハウジング１０の背面１２と直角な方向）と直角な方向である。また、二対の係止部１３は、ハウジング１０の背面１２と直角な軸に関して点対称な形態及び配置となっている。
【００１２】
ハウジング１０の左右両外側面には、その背面１２側の端縁に沿うようにかつ前後に間隔を空けて配置された前後一対ずつのガイド部１４が形成されている。一対のガイド部１４は、ハウジング１０の前端に近い位置と後端に近い位置、即ち一対の係止部１３を前後から挟むような位置に配置されている。ガイド部１４はガイドバー１５とガイド凹部１６とを有する。ガイドバー１５は、背面１２と平行な方向に細長く、前後両端をハウジング１０に支持された形態である。ガイド凹部１６は、ガイドバー１５の内面部分を切欠した形態であって、正面側と背面１２側（図１〜図３における上下両側）とに開放されている。ガイド凹部１６の幅寸法（電線カバー２０の組付け方向と直角な方向、即ち前後方向の寸法）は、後述するガイド突起２８Ｆ，２８Ｒが前後方向にガタ付くことなく嵌合できる寸法となっている。また、ガイドバー１５のうちガイド凹部１６が形成されている領域は、ハウジング１０の外側面よりも外側に配置されている。二対のガイド部１４は、係止部１３と同様、ハウジング１０の背面１２と直角な軸に関して点対称な形態及び配置となっている。
【００１３】
電線カバー２０は、合成樹脂製であり、ハウジング１０に対しその背面１２を覆うように組み付けられる。電線カバー２０は、一対の側壁２１と、この両側壁２１の背面側（図１〜図３、図６における上側）の端縁同士を連結する上面壁２２、及び両側壁２１の前側（図１及び図２における左側）の端縁同士を連結する前面壁２３とから構成され、これらの壁２１，２２，２３で囲まれた空間は、正面側（ハウジング１０の背面１２と対向する側）及び後面側（図１、図２、図５における右側）のみに開放された転向空間２４となっている。転向空間２４の後方への開口は、転向した電線１１を電線カバー２０の外部へ導出させるための導出口２５となっている。この導出口２５は、側壁２１と直角な面を開放した形態である。電線カバー２０をハウジング１０に取り付けた状態において、側壁２１は、ハウジング１０の背面１２左右両側縁に沿いかつ背面１２と直角をなすように配置される。
【００１４】
左右両側壁２１には、夫々、前後一対ずつの弾性係止片２６が形成されている。弾性係止片２６は、側壁２１の正面側の端縁から正面側（ハウジング１０に対する電線カバー２０の組付け方向と同じ方向）へ概ね面一状に延出した形態であって、側壁２１に対して外面側へ弾性撓みし得るようになっているとともに、側壁２１を弾性撓みさせつつ側壁２１とほぼ一体となって外面側へ変位し得るようになっている。かかる弾性係止片２６には、その外面側から内面側へ貫通する係止孔２７が形成されている。これらの弾性係止片２６は、ハウジング１０の係止部１３と対応するように配置されている。
【００１５】
同じく左右両側壁２１には、夫々、前後一対ずつのガイド突起２８Ｆ，２８Ｒが形成されている。ガイド突起２８Ｆ，２８Ｒは、側壁２１の正面側の端縁から正面側（ハウジング１０に対する電線カバー２０の組付け方向と同じ方向）へ概ね面一状に突出した形態であり、側方から視て横長の方形をなしている。このガイド突起２８Ｆ，２８Ｒは、側壁２１からの正面側への突出寸法が小さいため、側壁２１に対する相対的な弾性撓量は僅か（弾性係止片２６の弾性撓み量よりも十分小さい）であって、側壁２１が弾性撓みしたときにその側壁２１と一体に変位することができる。また、一対のガイド突起２８Ｆ，２８Ｒは、ガイド部１４と対応するようにハウジング１０の前端に近い位置と後端に近い位置、即ち一対の弾性係止片２６を前後から挟むような位置に配置されている。
【００１６】
前後に離れて配置されて対をなすガイド突起２８Ｆ，２８Ｒのうち、後側（導出口２５に近い側）に配置されているガイド突起２８Ｒには、規制突起２９が形成されている。規制突起２９は、ガイド突起２８Ｒの突出端の外面において突出する形態であり、その突出方向は、弾性係止片２６が係止部１３から解離する（外れる）方向と概ね同じ方向となっている。また、規制突起２９のガイド突起２８Ｒの外面からの突出寸法は、ガイド突起２８Ｒの厚さ寸法よりも小さい寸法とされている。
【００１７】
次に、本実施形態の作用を説明する。  
コネクタの組付けに際しては、まず、ハウジング１０内に端子金具を挿入し、その後、ハウジング１０に電線カバー２０を組み付ける。組付けに際しては、電線カバー２０を、ハウジング１０に対してその背面１２側から背面１２とほぼ直角に接近させる。組付けの過程では、電線カバー２０の４つの弾性係止片２６が、係止部１３との干渉により外面側へ弾性変位する。その後、弾性係止片２６が弾性変位している状態のままで、４つのガイド突起２８Ｆ，２８Ｒがガイド凹部１６に嵌合し、この嵌合により電線カバー２０がハウジング１０に対して前後方向に位置決めされる。そして、電線カバー２０の正面側の端縁がハウジング１０の背面１２の周縁部に突き当たったところで、電線カバー２０が正規の組付け状態となり、弾性係止片２６が弾性復帰してその係止孔２７が係止部１３に係止する。この係止作用により、電線カバー２０はハウジング１０に対して離脱規制された状態に保持される。
【００１８】
また、電線カバー２０の組付け過程では、規制突起２９がガイド部１４のガイドバー１５と干渉することにより、後側に位置するガイド突起２８Ｒが側壁２１と一体となって内面側へ弾性変位すると同時に、ガイド部１４が外面側へ弾性変位する。そして、電線カバー２０が正規の組付け状態に至ると、上記の弾性変位状態が戻り、規制突起２９がガイドバー１５に対して正面側から係止した状態となる。この規制突起２９とガイドバー１５との係止作用により、電線カバー２０のハウジング１０から外れる方向への変位が規制される。  
また、電線カバー２０がハウジング１０に組み付けられた状態では、ハウジング１０の導出面１２から導出された電線１１が、転向空間２４内で屈曲され、導出口２５から電線カバー２０外へ導出される。
【００１９】
本実施形態においては、電線カバー２０から導出されている電線１１が背面１２側（図１における上方）へ引っ張られると、その電線１１から電線カバー２０の導出口２５の開口縁に対して背面１２側（ハウジング１０の背面１２から離れる方向）への押圧力が作用する。このとき、この押圧力に負けて後側に位置する弾性係止片２６が、側壁２１とともに係止部１３から解離する方向（外面側）へ変位しようとすると、側壁２１における後部側位置に形成されているガイド突起２８Ｒも弾性係止片２６と同じ方向へ変位しようとする。この変位方向は、ガイド突起２８Ｒからの規制突起２９の突出方向と同じ方向であるため、ガイド突起２８Ｒの外面側への変位に伴って規制突起２９とガイドバー１５との係止代が大きくなる。したがって、たとえ弾性係止片２６が係止部１３から外れたとしても、規制突起２９とガイド部１４との係止状態が確保されることになり、電線カバー２０のハウジング１０からの外れが確実に防止される。
【００２０】
また、電線１１から電線カバー２０に対してハウジング１０から外れる方向の押圧力が作用するときには、電線１１が導出口２５の開口縁に当接するため、電線カバー２０は導出口２５側からめくれ上がろうとすることになる。そこで、本実施形態では、ハウジング１０の背面１２に沿うように間隔を空けて配置されている一対のガイド突起２８Ｆ，２８Ｒのうち、導出口２５に近い後側のガイド突起２８Ｒのみに規制突起２９を形成している。これにより、規制突起２９とガイド部１４との係止作用が、導出口２５に作用する押圧力に対する抗力として有効に機能することができるので、電線カバー２０の外れを確実に防止することができる。
【００２１】
また、電線カバー２０をハウジング１０に組み付けるときには、規制突起２９がガイド部１４を通過する際に、側壁２１やガイド突起２８Ｒを弾性変形させるため、この側壁２１やガイド突起２８Ｒの弾性復元力が組付け時の抵抗となるのであるが、本実施形態では、規制突起２９は、導出口２５に近い側のガイド突起２８Ｒのみに形成しており、他のガイド突起２８Ｆには規制突起２９を形成していないので、電線カバー２０の組付けに抗する抵抗が最小に押さえられており、組付けの作業性がよい。
【００２２】
また、係止部１３とガイド部１４が、ハウジング１０の背面１２と直角な軸に関して点対称な形態なので、ハウジング１０に対して電線カバー２０を前後に１８０°反転した２つの向きに組み付けることが可能である。これにより、電線１１を互いに反対の２方向へ転向させることができる。
【００２３】
＜他の実施形態＞
本発明は上記記述及び図面によって説明した実施形態に限定されるものではなく、例えば次のような実施態様も本発明の技術的範囲に含まれる。  
（１）規制突起は複数のガイド突起の全てに形成してもよい。  
（２）係止部とガイド部は、ハウジングの背面と直角な軸に関して点対称ではない形態でもよい。  
（２）１つの側壁に形成する弾性係止片の数は、１片としてもよく、３片以上としてもよい。  
（３）１つの側壁に形成するガイド突起の数は、１片としてもよく、３片以上としてもよい。  
（４）係止部がガイド部を挟むような配置としてもよい。  
（５）弾性係止片がガイド突起を挟むような配置としてもよい。  
（６）係止部をハウジングの内面に形成し、弾性係止片を、ハウジングの内部に収容する形態で係止部に係止させてもよい。この場合、ガイド部は、ガイド突起の内面側に位置させ、規制突起は内側へ突出する形態となる。
【図面の簡単な説明】
【００２４】
【図１】実施形態１の側面図
【図２】ハウジングから電線カバーを外した状態の側面図
【図３】断面図
【図４】ハウジングの平面図
【図５】電線カバーの底面図
【図６】電線カバーの背面図
【符号の説明】
【００２５】
１０…ハウジング
１１…電線
１２…背面
１３…係止部
１４…ガイド部
２０…電線カバー
２１…側壁
２５…導出口
２６…弾性係止片
２８Ｆ，２８Ｒ…ガイド突起
２９…規制突起
【図１】
2008300174.tif 000003
【図２】
2008300174.tif 000004
【図３】
2008300174.tif 000005
【図４】
2008300174.tif 000006
【図５】
2008300174.tif 000007
【図６】
2008300174.tif 000008